(57)【要約】【課題】            操作が容易で、冷却効率に優れており、場所に拘わらず１回に使用しようとする分量ずつだけ冷却させて使用し得る冷却器付き化粧品容器を提供する。【解決手段】 容器のキャップを押すと、それぞれの容器から定量バルブによって化粧品及び冷媒が一定量吐出されて、化粧品は冷却管（２１）の内部に流れ、冷媒は冷却管（２１）を包んでいる冷媒流路（２２ａ）を流れながら冷媒が気化することにより、その気化熱によって化粧品が冷却される。【選択図】          図１
2004337615.tif 000002
【特許請求の範囲】
【請求項１】
押す動作によって１回の使用量の化粧品が排出される化粧品容器と、
押す動作によって一定量の冷媒が排出される冷媒容器と、
上記化粧品容器及び上記冷媒容器が内蔵される容器と、
その内部に化粧品容器から排出された化粧品が流下しながら冷却される金属材の化粧品冷却管が配設され、冷媒容器から排出された冷媒が化粧品冷却管の１支点まで流れ、化粧品冷却管を包んで流れながら気化して化粧品冷却管内の化粧品を冷却させた後、外へ排出される冷媒流路が配設されている化粧品冷却器と、
内側には上記化粧品冷却器が内蔵され、外側には冷却された化粧品が吐出される化粧品吐出口が配設されており、上下に可動で押す動作によって化粧品及び冷媒を噴出させるキャップとからなり、
上記キャップを押すと一定量の冷媒と一定量の化粧品とが同時にそれぞれの容器から化粧品冷却器へ流入され、冷媒は冷却管の外面を包んで流れながら冷却管内を流れている化粧品を冷却させるとともに気化して冷媒排出口へ排出され、化粧品は冷却管内へ流れながら冷却されて化粧品吐出口へ排出されることを特徴とする冷却器付き化粧品容器。
【請求項２】
冷媒が冷却管内の化粧品とは互いに逆方向へ流れることを特徴とする請求項１記載の冷却器付き化粧品容器。
【請求項３】
化粧品冷却器は、金属材の冷却管を合成樹脂材のチューブが包んでいる二重管の形態になっていることを特徴とする請求項１または２記載の冷却器付き化粧品容器。
【請求項４】
化粧品冷却器は、冷媒流路及び冷却管が挿入される凹溝が対称にへこんでいる２つの合成樹脂板の間に冷却管を挿入して突き合わせる形態となっていることを特徴とする請求項１または２記載の冷却器付き化粧品容器。
【発明の詳細な説明】
【技術分野】
【０００１】
本発明は化粧品容器に関し、より詳しくは押す動作によって吐出させて使用する化粧品容器において、１回の使用分だけを冷却させて使用できる冷却器付き化粧品容器に関する。
【背景技術】
【０００２】
従来、化粧品は主にその成分に焦点が合わせられ、化粧品容器は外観上の美しさにその焦点が合わせられていたが、近年は使い勝手や使用感さえ考慮する感性消費階層が増えたため化粧品の成分及び容器だけでなく使用温度などまでも考慮されるようになった。
【０００３】
特に、化粧品を冷却された状態で使用するならば、清涼感を与えるため、近年は化粧品専用冷蔵庫（例えば、特許文献１参照）が多用されているが、ポータブルでなくて旅行時には使うことができないという短所がある。
【０００４】
そこで本発明者は、ブタンやフレオンなどの冷媒を用いて使用時のみに化粧品を少量ずつ冷却させて使用することができる化粧品容器を発明したが（韓国特許出願第２００３−１２５３号）、これは冷媒を噴射させる操作と化粧品を吐出させる操作とを引き続いて行わなければならないため、使い方が多少難しく、冷媒を噴出させて冷却空間を冷却させた後、化粧品が冷却空間を通過しながら冷却されるようにしなければならないので、構造が多少複雑であり、また冷却空間が大きくて冷却効率が劣るという短所がある。
【０００５】
【特許文献１】特開２００３−１３９４６４
【発明の開示】
【発明が解決しようとする課題】
【０００６】
本発明の目的は操作が簡便で製作が容易であり、冷却効率に優れており、場所に拘わらず１回に使用しようとする分量ずつだけ冷却させて使用し得る冷却器付き化粧品容器を提供するものである。
【課題を解決するための手段】
【０００７】
前記目的を達成するために、請求項１記載の発明は、押す動作によってほぼ１回の使用量の化粧品が排出される化粧品容器と、押す動作によって一定量の冷媒が排出される冷媒容器と、上記化粧品容器及び上記冷媒容器が内蔵される容器と、その内部に化粧品容器から排出された化粧品が流下しながら冷却される金属材の化粧品冷却管が配設され、冷媒容器から排出された冷媒が化粧品冷却管の１支点まで流れ、化粧品冷却管を包んで流れながら気化して化粧品冷却管内の化粧品を冷却させた後、外へ排出される冷媒流路が配設されている化粧品冷却器と、内側には上記化粧品冷却器が内蔵され、外側には冷却された化粧品が吐出される化粧品吐出口が配設されており、上下に可動で押す動作によって化粧品及び冷媒を噴出させるキャップとからなり、上記キャップを押すと一定量の冷媒と一定量の化粧品とが同時にそれぞれの容器から化粧品冷却器へ流入され、冷媒は冷却管の外面を包んで流れながら冷却管内を流れている化粧品を冷却させるとともに気化して冷媒排出口へ排出され、化粧品は冷却管内へ流れながら冷却されて化粧品吐出口へ排出される。
【０００８】
すなわち、化粧品と冷媒とが冷却管を介して熱交換が行われ、冷媒が流れる管の外壁は外部と断熱され、化粧品が冷媒の気化熱を供給する結果として冷却されるものである。
【０００９】
請求項２記載の発明は、冷媒と化粧品とが互いに逆方向へ流れながら化粧品を冷却させる方式であって、化粧品が吐出される直前にもっとも低い温度の冷媒と会うことになって熱交換に当たって有利である。
【００１０】
請求項３記載の発明は、化粧品冷却器は金属材の冷却管を合成樹脂材のチューブが包んでいる二重管の形態になっているものである。
【００１１】
請求項４記載の発明は、化粧品冷却器は冷媒流路及び冷却管が挿入される凹溝が対称にへこんでいる２つの合成樹脂板の間に冷却管を挿入して突き合わせる形態となっているものである。
【発明の効果】
【００１２】
本発明によれば、容器のキャップを押す簡単な動作だけで１回の使用分の冷却された化粧品が吐出される化粧品容器が得られる。また、本発明によれば、使用時容器の表面に結露が発生するなどの不具合が無く、場所に拘わらず使用することができる。
【発明を実施するための最良の形態】
【００１３】
以下、本発明の冷却器付き化粧品容器を添付図面を参照してより詳細に説明する。
【００１４】
図１は本発明の構成及び作動メカニズムを説明するための一実施例の断面図であって、冷却器２０が、化粧品と冷媒とが互いに逆方向に流れる二重管の形態を取っている場合を示したものである。
【００１５】
化粧品容器１３と冷媒容器１２とが一つの大きな容器１０内に並べて内蔵されていて、キャップ３０を押すと支持台２５によってそれぞれの容器の上端にある定量バルブ１１が圧縮されてそれぞれの容器から一定量の化粧品及び冷媒が化粧品冷却器２０へ流れ込んで熱交換がなされた後、化粧品は化粧品吐出口２３へ、冷媒は冷媒排出口２４へそれぞれ排出される。
【００１６】
化粧品冷却器２０における各流体の流れをより詳しく察してみれば、化粧品は金属材の冷却管２１内を流れ、冷媒は冷却管の外壁と合成樹脂材の冷媒チューブ２２の内壁との間を流れるが、合成樹脂は熱伝達係数が極めて低くて全体としては断熱されているので、金属材の冷却管２１を介してのみ熱交換が行われるが、冷媒は化粧品側で熱を吸収して気化しながら進行し、化粧品は熱を放出して冷却されながら進行する。
【００１７】
しかし、前記二重管型の化粧品冷却器は合成樹脂チューブ内に金属チューブを嵌めこむ形態で製作されるため、製作が簡単であり、全体的に螺旋状などの複雑な模様を取ることができ、狭い空間で広い熱伝達面積を確保することができるという利点がある反面、折曲される部位で冷却管と合成樹脂チューブとが必然的に当接されることにより、冷媒の流れが円滑にならないこともある。
【００１８】
従って、冷却器は図２に示したように、冷媒流路２２ａ及び冷却管２１が挿入される凹溝２２ｂが対称にへこんでいる２つの合成樹脂板２５の間に冷却管２１を挿入して突き合わせる形態で製作しても良い。
【００１９】
２つの合成樹脂板は接着剤や高周波などを用いて貼り付けることができるが、冷却器をこのような形態で製作すれば、熱を遮断する効果が卓越になって化粧品が一層効果的に冷却される。
【００２０】
次に、図３及び図４を参照して押す動作によって冷媒及び化粧品が一定量噴出されるメカニズムをより詳しく説明する。
【００２１】
まず、冷媒が一定量排出される原理を図３を用いて説明すれば、冷媒流入管１２１は冷媒容器１２の内部に開放されており、冷媒噴出孔１２２はゴム１２３によって閉塞されている状態（図３ａ）でキャップを押すとロッド１２４が冷媒流入管１２１を閉塞するまでバネ１２５が圧縮されて冷媒流入管１２１は閉鎖され、冷媒噴出孔１２２は開放されて冷媒が冷媒吐出管１２６を介して噴出され（図３ｂ）、キャップを放すとバネが元の状態に戻りながら最初の状態となって冷媒が冷媒バルブシリンダー内を充たすことになる（図３ｃ）。
【００２２】
図４に示した化粧品バルブシリンダーもやはり公知の装置であるが、シリンダー内部に化粧品が充たされており、ボール１３２が化粧品流入管１３１を閉塞している状態（図４ａ）でキャップを押すと、即ちピストン１３３を下降させると、バネ１３４が圧縮されながら化粧品が化粧品吐出管１３５を介して吐出され（図４ｂ）、キャップを放すとバネが元の状態に戻りながら化粧品バルブシリンダー内の圧力が下がってボール１３２が持ち上げられるとともに化粧品バルブシリンダー内へ化粧品が流入されて（図４ｃ）最初の状態となる。
【００２３】
冷媒は蒸発潜熱が大きく人体に無害な物質であればいずれも使用可能であるが、望ましくは常温で蒸気圧があまり高くなくて別に高圧容器を必要としないものが良い。かかる冷媒としてはブタン、ＨＦＣなどが挙げられ、二酸化炭素は高圧容器を使わなければならないため非実用的である。
【００２４】
次に、図１の構造を有する冷却器を用いて測定した化粧品の冷却効果について説明する。
【００２５】
ここで、化粧品冷却管の内径は２ｍｍで、長さは７０ｍｍであり、内部容積は大略０．２２ｍｌである。冷媒流路は冷却管が挿入されない部分の直径は１ｍｍであり、冷却管が挿入される部分の冷媒流路の直径は３ｍｍであって、冷却管と冷媒流路の内壁との隙間は約０．２ｍｍである。冷媒としてＨＦＣ１３４ａを一回当たり０．４ｇだけ噴出させて、噴出された水０．２５ｍｌを冷却させた結果、２０℃から５℃に冷却された。
【００２６】
参考までに、水０．２５ｍｌを２０℃から５℃へと１５℃冷却させるためのＨＦＣ１３４ａの所要量は理論的には０．１５ｇである。
【図面の簡単な説明】
【００２７】
【図１】本発明の構成及び作動メカニズムを説明するための一実施例の断面図である。
【図２】図１と異なる構造を有する冷却器の分解斜視図である。
【図３】押す動作によって一定量の冷媒が噴出されるメカニズムを説明するための冷媒噴出部の作動図である。
【図４】押す動作によって一定量の化粧品が吐出されるメカニズムを説明するための化粧品吐出部の作動図である。
【符号の説明】
【００２８】
１１    定量バルブ
１２    冷媒容器
１２１  冷媒流入管
１２２  冷媒噴出孔
１２３  ゴム
１２４  ロッド
１２５  バネ
１２６  冷媒吐出管
１３    化粧品容器
１３１  化粧品流入管
１３２  ボール
１３３  ピストン
１３４  バネ
１３５  化粧品吐出管
２０    冷却器
２１    冷却管
２２    冷媒チューブ
２２ａ、２２ｂ  冷媒流路
２３    化粧品吐出口
２４    冷媒排出口
２５    合成樹脂板（支持台）
３０    キャップ
【図１】
2004337615.tif 000003
【図２】
2004337615.tif 000004
【図３】
2004337615.tif 000005
【図４】
2004337615.tif 000006